(57)【要約】【課題】撮像機能付笛において、第三者に現場の状況を容易に、かつ正確に伝えることができるようにする。【解決手段】撮像機能付笛１（１−３）は、笛本体１０に、被写体を撮像する撮像部２０と、空気を導入する吹き口１０ａと、吹き口１０ａから空気が導入されたときに撮像部２０に被写体の撮像を行わせる撮像制御手段１２とを設ける。【選択図】図３
2009104425.tif 000002
【特許請求の範囲】
【請求項１】
笛本体に、被写体を撮像する撮像部と、
空気を導入する吹き口と、
前記吹き口から空気が導入されたときに前記撮像部に前記被写体の撮像を行わせる撮像制御手段とを設けてなることを特徴とする撮像機能付笛。
【請求項２】
前記撮像部が、撮影レンズを有し、
前記笛本体が、該本体の一端に前記撮影レンズを備え、他端に前記吹き口を備えていることを特徴とする請求項１に記載の撮像機能付笛。
【請求項３】
前記笛本体の両側面に設けられた把持部と、
該把持部が把持されたか否かを検出する把持検出手段と、
該把持検出手段が前記把持部の前記把持を検出したときに前記撮像部を待機状態にする電源制御手段とを備えていることを特徴とする請求項１又は２に記載の撮像機能付笛。
【請求項４】
前記電源制御手段が、一定時間前記待機状態を維持するものであることを特徴とする請求項３に記載の撮像機能付笛。
【請求項５】
前記把持検出手段が、前記把持部の少なくとも一方に設けられていることを特徴とする請求項３又は４に記載の撮像機能付笛。
【請求項６】
前記把持検出手段が、前記把持部の両方が同時に把持されたときのみ前記把持されたことを検出するものであることを特徴とする請求項３又は４に記載の撮像機能付笛。
【請求項７】
前記撮像部を駆動可能にする電源が設けられていることを特徴とする請求項１から６いずれか１項に記載の撮像機能付笛。
【請求項８】
前記笛本体が発する音を検出する音検出手段をさらに備え、
前記撮像制御手段が、前記音を検出したときに前記撮像を行わせることを特徴とする請求項１から７いずれか１項に記載の撮像機能付笛。
【請求項９】
前記吹き口を被覆し、該吹き口に空気が導入されたときに該吹き口を開口する防塵カバー部を備えていることを特徴とする請求項１から８いずれか１項に記載の撮像機能付笛。
【請求項１０】
前記防塵カバー部が、前記吹き口を開口したときに前記撮像制御手段に前記撮像を行わせることを特徴とする請求項９に記載の撮像機能付笛。
【請求項１１】
前記撮像部の作動に応答して外部機器に現場情報を送信する通信手段を備えていることを特徴とする請求項１から１０いずれか１項に記載の撮像機能付笛。
【請求項１２】
前記吹き口から導入された空気により前記撮像部を駆動するための電力を発生する風力発電手段を備えていることを特徴とする請求項１から１１いずれか１項に記載の撮像機能付笛。
【発明の詳細な説明】
【技術分野】
【０００１】
本発明は笛に関し、特に撮像機能を備えた防犯用の笛に関するものである。
【背景技術】
【０００２】
従来より、防犯や災難時に周囲に緊急状態を知らせる報知手段として、笛、警告音又はメッセージ等を発生する報知具、発光する報知具及びこれらの組み合わせによる報知具等が提案されている。このような報知具としては、例えば予備のホイッスルを設けることにより、ケース内に音声発生手段や発光手段、電源、スイッチ等を内蔵した本体が破壊されても防犯警報機能を維持することができる防犯警報器（特許文献１）や、ホイッスルを吹き鳴らすのに連動して自動的に本体が発光するようにしたホイッスル（特許文献２）、犯罪に遭遇した場合、電波状態に関係なく、何時でもどんな場所でも操作キーを連続して４回押すことにより警報音又は救援メッセージを発声させるようにした携帯電話機器（特許文献３）、携帯性があり、電池が切れても人が笛を吹くことにより音を出すことができる笛付非常灯（特許文献４）等がある。
【特許文献１】特開平１１−２４２７８２号公報
【特許文献２】実用新案第３０８６８８５号
【特許文献３】特開２００２−１０１１６１号公報
【特許文献４】実用新案第３０４９８７１号
【発明の開示】
【発明が解決しようとする課題】
【０００３】
しかしながら、上記のような報知具では、周囲の状況、不審者又は犯人の顔、体型、服装、車種、車番号等を保護者や警察等の第三者に伝えようとしても、人による観察や記憶等が不正確であって、正確に現場の状況を把握して伝えることは困難である。
【０００４】
本発明はかかる事情に鑑みてなされたものであり、第三者に現場の状況を容易に、かつ正確に伝えることができる撮像機能付笛を提供することを目的とするものである。
【課題を解決するための手段】
【０００５】
本発明の撮像機能付笛は、笛本体に、
空気を導入する吹き口と、
該吹き口から空気が導入されたときに前記撮像部に前記被写体の撮像を行わせる撮像制御手段とを設けてなることを特徴とするものである。
【０００６】
本発明の撮像機能付笛においては、前記撮像部が撮影レンズを有し、
前記笛本体が、該本体の一端に前記撮影レンズを備え、他端に前記吹き口を備えていてもよい。
【０００７】
また本発明の撮像機能付笛においては、前記笛本体の両側面に設けられた把持部と、
該把持部が把持されたか否かを検出する把持検出手段と、
該把持検出手段が前記把持部の前記把持を検出したときに前記撮像部を待機状態にする電源制御手段とを備えていてもよい。
【０００８】
この場合、前記電源制御手段が、一定時間前記待機状態を維持するものであることが好ましい。
【０００９】
また本発明の撮像機能付笛においては、前記把持検出手段が、前記把持部の少なくとも一方に設けられていてもよい。
【００１０】
また本発明の撮像機能付笛においては、前記把持検出手段が、前記把持部の両方が同時に把持されるときにのみ把持されたことを検出するものであってもよい。
【００１１】
なお本発明の撮像機能付笛においては、前記撮像部を駆動可能にする電源が設けられていてもよい。
【００１２】
また本発明の撮像機能付笛においては、前記笛本体が発する音を検出する音検出手段をさらに備え、
前記撮像制御手段が、前記音を検出したときに前記撮像を行わせるものであってもよい。
【００１３】
また本発明の撮像機能付笛においては、前記吹き口を被覆し、該吹き口に空気が導入されたときに該吹き口を開口する防塵カバー部を備えていてもよい。
【００１４】
この場合、前記防塵カバー部が、前記吹き口を開口したときに前記撮像制御手段に前記撮像を行わせてもよい。
【００１５】
また本発明の撮像機能付笛においては、前記撮像部の作動に応答して外部機器に現場情報を送信する通信手段を備えていることが好ましい。ここで「現場情報」とは、静止画又は動画、音、位置情報等を意味する。
【００１６】
また本発明の撮像機能付笛においては、前記吹き口から導入された空気により前記撮像部を駆動するための電力を発生する風力発電手段を備えていてもよい。
【発明の効果】
【００１７】
本発明の撮像機能付笛によれば、笛本体に、被写体を撮像する撮像部と、空気を導入する吹き口と、吹き口から空気が導入されたときに撮像部に被写体の撮像を行わせる撮像制御手段とを設けてなることにより、例えば人が笛を吹くことによって吹き口から空気が導入されると自動的に被写体を撮影することができるので、撮影によって得られた画像によって第三者に現場の状況を容易に、かつ正確に伝えることができる。
【発明を実施するための最良の形態】
【００１８】
以下、本発明にかかる一実施形態の撮像機能付の笛について図面を参照して詳細に説明する。図１（ａ）は本実施形態の笛１の全体斜視図、図１（ｂ）は（ａ）の笛の使用時の図である。
【００１９】
本実施形態の笛１は、図１（ａ）に示す如く、笛本体１０に、図１（ｂ）のように例えば小学生等の人Ｐによって空気が吹き込まれる、つまり笛１が吹かれることにより空気を導入する吹き口１０ａと、この吹き口１０ａから導入された空気を外部に吐出する空気吹出孔１０ｂと、外部に臨む撮影レンズ２１を介して被写体を撮像する撮像部２０とが設けられている。また笛本体１０には、図１（ｂ）に示す如く、首にかけて使用できるように、輪状の紐１１が設けられていて、笛本体１０の両側面（図１中紙面手前側及び奥側）には、例えば人Ｐの指によって把持される略円状の把持部１０ｃが設けられている。
【００２０】
次に上記笛１とは別の形状である第二の実施形態及び第三の実施形態の笛１−２、笛１−３について説明する。図２（ａ）は第二の実施形態の笛１−２の斜視図、図２（ｂ）は第三の実施形態の笛１−３の側面図を示す。なお図２においては便宜上、紙面上側を上方として以下説明する。
【００２１】
笛１−２は、図２（ａ）に示す如く、笛本体１０の一端に、外部に臨む撮影レンズ２１を有する撮像部２０が備えられ、他端に吹き口１０ａが備えられている。また撮影レンズ２１を囲んで環状にＬＥＤ等の発光部２２と、発光部２２に隣接してスピーカ部２３が設けられている。この発光部２２は撮影用として機能する他に外部への威嚇用として機能することもできる。なおさらに録音用の図示しないマイク部が設けられていてもよい。
【００２２】
また笛本体１０の上面には上述の実施形態と同様に空気吹出孔１０ｂが設けられている。そして笛本体１０の両側面（図２（ａ）中紙面手前側及び奥側）には、例えば人Ｐの指によって把持される略円状の把持部１０ｃが設けられている。
【００２３】
笛１−３は、図２（ｂ）に示す如く、例えば笛１−３の使用者を子供と想定した場合に、撮影レンズ２１と吹き口１０ａとが子供の背の高さに合わせて設定できるように、吹き口１０ａから導入される空気の流れ方向１０ａ−１と、撮影レンズ２１の光軸２１ａとの角度が設定されている。子供は一般的に背が低いので口の位置も低くなるが、撮影対象は口の位置と比較して高いところに位置する場合が多い。従って空気の流れ方向１０ａ−１を水平にした際に、撮影レンズ２１側が上方向を向くように光軸２１ａの前記角度を設定する。なお前記角度は、例えば回転機構等を設けることにより変更可能にしてもよい。また広い範囲を撮影できるように撮影レンズ２１を広角レンズとしてもよい。
【００２４】
なお笛１−２、１−３では、撮影時にスピーカ部２３から例えば「助けて」等の人口音を発声させてもよいし、発光部２２を発光させてもよい。これにより緊迫した状況下で声を出すことが困難な場合であっても、人口音によって音を発することができるので、周囲に緊急状態を知らしめることが可能となる。また例えば不審者等に出会ってしまった場合に、発光部２２の発光によって不審者を威嚇することができる。またマイク部を設けた場合には、現場の状況を録音しておくことができるので、第三者に音による正確な状況を伝えることができる。
【００２５】
次に上述した笛１、１−２、１−３の内部の構造について図面を参照して詳細に説明する。なお上記内部の構造は、笛１、１−２、１−３も同様の構造とすることが可能であるため、便宜上笛１−３を例に挙げて説明するものとし、他については説明を省略する。ここで図３に第三の実施形態の笛１−３の内部構造を示す概略側面断面図を示す。
【００２６】
笛１−３は、図３に示す如く、撮像部２０が撮影レンズ２１の後方つまり撮像部２０本体の内方に、ＣＭＯＳ又はＣＣＤ等の撮像素子を搭載したカメラモジュール２４が配設されている。また上述の撮像制御手段として吹き口１０ａから空気が導入されたときに撮影部２０に被写体の撮影を指示するレリーズスイッチ（以下、レリーズＳＷという）１２が設けられている。
【００２７】
本実施形態のレリーズＳＷ１２は、互いに対向する接点部材１２ａと接点部材１２ｂとを備え、接点部材１２ａは、一端が撮像部２０の内部回路（図示せず）に接続されて笛本体１０の内壁から延び、他端が吹き口１０ａから導入される空気の流れ方向と略垂直に、かつ空気の風圧を受けるように配設された板バネ１３の撮像部２０側の先端面に貼着されている。また接点部材１２ｂは前記空気の流れ方向と略垂直に形成された撮像部２０の笛本体１０側外壁に貼着されている。なお板バネ１３は、弾性を有する部材で、かつ導電体であればいずれの部材を使用しても良い。
【００２８】
そして吹き口１０ａから導入された空気の風圧による板バネ１３の移動によって、接点部材１２ｂが接点部材１２ｂの方向へ移動することにより接点部材１２ａと接点部材１２ｂとが接触し、この接触によりレリーズＳＷ１２がＯＮになる。
【００２９】
ここで撮像制御手段としてのレリーズＳＷ１２の別の実施形態について説明する。図４は第四の実施形態の笛１−４の内部構造を示す概略側面断面図である。
【００３０】
笛１−４のレリーズＳＷ１２は、上記実施形態と同様に、互いに対向する接点部材１２ａと接点部材１２ｂとを備え、接点部材１２ａは、一端が撮像部２０の内部回路（図示せず）に接続されて笛本体１０の内壁から延びた板バネ１３’の撮像部２０側の先端面に貼着されている。本実施形態の板バネ１３’は上記実施形態の板バネ１３とは異なり、前記空気の流れ方向と略垂直に配設されていなくてもよい。
【００３１】
また接点部材１２ｂも同様に前記空気の流れ方向と略垂直ではなく、撮影レンズ２１の光軸２１ａと略垂直に形成された撮像部２０の笛本体１０側外壁に貼着されている。そして笛１−４は、笛本体１０の内部空間に、該空間を自在に移動可能な球体１４が共振玉として配設されている。
【００３２】
板バネ１３’は、接点部材１２ａが貼着されていない側の先端面が、図４の右下図に示す如く、吹き口１０ａから導入された空気の風圧を受ける部分Ｓとして面積が広く形成されている。
【００３３】
そして吹き口１０ａから空気が導入されると、前記風圧を受ける部分Ｓが導入された空気の風圧を受けて接点部材１２ｂ側に押されることにより、接点部材１２ａと接点部材１２ｂとが接触し、この接触によりレリーズＳＷ１２がＯＮになる。このとき前記風圧によって球体１４が前記空間を動くことにより、この球体１４が前記風圧を受ける部分Ｓに当接して、接点部材１２ａを接点部材１２ｂに接触させてもよい。
【００３４】
そして笛１、１−２、１−３は、上述のように構成された撮像制御手段としてレリーズＳＷ１２がＯＮになったときに、撮像部２０に被写体の撮影を行わせる。なお撮像部２０による撮影は動画であっても静止画であってもよい。また連写を行ってもよい。
【００３５】
こうすることにより、例えば人Ｐが笛１、１−２、１−３を吹くという容易な動作によって、吹き口１０ａから空気が導入されることにより、レリーズＳＷ１２がＯＮになるので、撮像部２０に自動的に被写体の撮像を行わせることができて、撮影によって得られた画像によって第三者に現場の状況を容易に、かつ正確に伝えることができる。
【００３６】
また撮影レンズ２１と吹き口１０ａとが笛本体１０を介して対向して配置されているので、使用者が笛を吹くという動作をするだけで、意識することなく被写体を撮影することができる。
【００３７】
なお上述実施形態ではレリーズＳＷ１２を上述のように構成したが、さらに別の構成であっても構わない。ここで図５（ａ）に第五の実施形態の笛１−５の斜視図、図５（ｂ）に図５の笛１−５を人が吹いている時の説明図を示す。なお本実施形態笛１−５は、図１の笛と同様の箇所は同符号で示して説明を省略する。また図５においては便宜上、紙面上側を上方として説明する。
【００３８】
笛１−５のレリーズＳＷ１２’は、図５（ａ）に示す如く、笛本体１０の上面には吹き口１０ａと隣接するように配設されている。このレリーズＳＷ１２’は、温度センサや接触センサ等によって構成することができ、本実施形態では接触センサを使用する。
【００３９】
そして人Ｐが笛１−５を吹くときに、図５（ｂ）に示す如く、吹き口１０ａを口の中に位置させて笛本体１０の吹き口１０ａ側端部を銜えることによって、レリーズＳＷ１２’には人の歯Ｐ’又は唇等が接触する。このときレリーズＳＷ１２’つまり上記接触センサが該接触を検知し、レリーズＳＷ１２’がＯＮになる。
【００４０】
なおレリーズＳＷを笛の音を検出する音センサ（音検出手段）で構成し、笛本体１０又は撮像部２０に搭載してもよい。この場合人Ｐが笛を吹くことにより、吹き口１０ａから空気が導入されて笛の音が発生したときに、音センサが笛の音を検出してレリーズＳＷがＯＮになる。こうすることによりレリーズＳＷの機械構造を簡素化することができる。
【００４１】
次に本発明にかかる第六の実施形態の笛１−６について説明する。図６は本実施形態の笛１−６の斜視図、図７はそれぞれ電源スイッチの断面図の一例である。
【００４２】
本実施形態の笛１−６は、図６に示す如く、上述した実施形態の笛１、１−２〜５の把持部１０ｃに把持部１０ｃが把持されたか否かを検出するための電源スイッチ（把持検出手段；電源ＳＷ）１５を設けたものである。
【００４３】
電源ＳＷ１５は、例えばメンブレンスイッチやタッチパネル等で構成することができ、メンブレンスイッチとしては例えば図７（ａ）に示す２枚電極シート構造のメンブレンスイッチや図７（ｂ）に示す下部シートに２電極を設ける１枚電極シート構造のメンブレンスイッチを使用することができる。
【００４４】
２枚電極シート構造のメンブレンスイッチは、図７（ａ）に示す如く、メタルドーム１５ａと、メタルドーム１５ａを被覆し、例えば人Ｐの指等で操作されるメタルドーム押さえシート１５ｂを備えている。
【００４５】
またメタルドーム１５ａの頂点部と間隔を有して配設され、例えばＰＥＴ（ポリエチレンテレフタラート）によって形成された、上部電場シート１５ｃ−１、スペーサシート１５ｄ、下部電場シート１５ｃ−２が、上から順に配置されている。
【００４６】
さらにスペーサシート１５ｄの中央の孔には、上部電極１５ｅ−１と下部電極１５ｅ−２とが接触しないように間隔を有して、それぞれ上部電場シート１５ｃ−１と下部電場シート１５ｃ−２に貼着されている。
【００４７】
このように形成された２枚電極シート構造のメンブレンスイッチは、メタルドーム押さえシート１５ｂが上方から押下されることによって、メタルドーム１５ａ及び上部電場シート１５ｃ−１を介して上部電極１５ｅ−１が下方に移動して下部電極１５ｅ−２と接触してＯＮにされる。
【００４８】
１枚電極シート構造のメンブレンスイッチは、図７（ｂ）に示す如く、上記と同様にメタルドーム１５ａと、メタルドーム押さえシート１５ｂを備えており、メタルドーム１５ａの頂点部と間隔を有して、ドーナツ状の導電回路１５ｆと電極シート１５ｃとが上方から順に配設されている。また導電回路１５ｆの中央の孔では、接点部となる導電回路１５ｇが電極シート１５ｃの上面に貼着されている。なおメタルドーム１５ａは金属接点として機能し、メタルドーム１５ａの下端は導電回路１５ｆと接続されている。
【００４９】
このように形成された１枚電極シート構造のメンブレンスイッチは、メタルドーム押さえシート１５ｂが上方から押下されることによって、メタルドーム１５ａが下方に移動し、導電回路１５ｇと接触してＯＮにされる。
【００５０】
次に上記実施形態の笛１−６の内部構成について説明する。図８は笛１−６の内部構成を示す機能ブロック図である。
【００５１】
笛１−６は、図８に示す如く、撮像部２０、電源ＳＷ１５、電源部１６、レリーズＳＷ１２、ＳＷのＯＮ/ＯＦＦ検知部３０、シャッタのＯＮ／ＯＦＦ制御部３１、ＣＰＵ３２、画像補正部３３、撮影時間タイマ部３４、ＲＡＭ・ＲＯＭ３５、フラッシュメモリ３６及び外部との通信制御部１ａとを備えている。
【００５２】
撮像部２０は、撮影レンズ２１、絞り、シャッタ、ＣＣＤ等の撮像素子、撮像信号処理部等を備えるものであり、レリーズＳＷ１２からの信号によって被写体を撮像する。
【００５３】
電源ＳＷ１５は、電源部１６をＯＮ/ＯＦＦする他に、電源制御手段としても機能するＣＰＵ３２を介して撮像部２０を待機状態にする。ここで待機状態とは、例えばＡＥやＡＦ等の処理が終了して露光つまりシャッタを開く指示を待つ状態をいう。なおＣＰＵ３２が前記待機状態を一定時間保持してもよい。こうすることにより、電源ＳＷ１５が数回ＯＮ／ＯＦＦされても、待機状態が保持されているので、撮影のタイミングを逃してしまうことを防止することができる。
【００５４】
電源部１６は、電池を備えるものであり、電源ＳＷ１５がＯＮにされると撮像部２０に電力を供給することにより撮像部２０を駆動可能にする。
【００５５】
レリーズＳＷ１２は、吹き口１０ａから空気が導入されたときにＯＮにされ、ＯＮにされると後述のＯＮ／ＯＦＦ検知部３０及びＣＰＵ３２を介して撮像部２０に被写体の撮像を行わせる。
【００５６】
ＯＮ／ＯＦＦ検知部３０は、レリーズＳＷ１２のチャタリングを除去してＣＰＵ３２に信号を伝達する。
【００５７】
シャッタのＯＮ／ＯＦＦ制御部３１は、ＣＰＵ３２を介して撮像部２０のシャッタを開閉する。
【００５８】
ＣＰＵ（電源制御手段）３２は、ＯＮ／ＯＦＦ検知部３０を介してレリーズＳＷ１２のＯＮを検出してシャッタのＯＮ／ＯＦＦ制御部３１にシャッタの開かせると共に後述の撮影時間タイマ部３４を起動させる。また電源ＳＷ１５のＯＮを検出して撮像部２０を待機状態にする電源制御手段としても機能する。
【００５９】
画像補正部３３は、撮像部２０により撮像された画像データに対して、ガンマ補正処理、輪郭強調（シャープネス）処理、コントラスト処理、ノイズ低減処理等の補正処理を施す。
【００６０】
撮影時間タイマ部３４は、予め一定時間が設定されており、レリーズＳＷ１２が一度ＯＮにされると前記一定時間、撮像部２０に撮影を行わせる。なおこのとき撮影は動画又は連写とする。なお撮像部２０が静止画のみを撮影するものである場合には、撮影時間タイマ部３４は搭載されていなくてもよい。
【００６１】
ＲＡＭ・ＲＯＭ３５は、書き込みや読み出しを行うメモリであり、フラッシュメモリ３６は、撮影された画像を記録する。なおこのとき記憶される画像は画像補正部３３により前記補正が施された画像であってもよい。またフラッシュメモリ３６はリングバッファとしてもよく、最大１０分間分の画像を記録可能とする。
【００６２】
外部との通信制御部１ａは、ケーブル通信又は無線通信を行うＩ／Ｆ（インターフェース）部を備えており、撮影により得られた画像（フラッシュメモリ３６に記憶された画像を含んでもよい）等の現場情報をＩ／Ｆ部を介して予め設定された送信先（第三者）に送信する。ここで図９に外部との通信を説明する図、図１０に笛と携帯電話との接続を説明する図、図１１に笛と携帯電話との接続を説明する別の図を示す。
【００６３】
現場情報は、撮像部２０によって得られた静止画又は動画の撮像画像データの他に、笛１−６がＧＰＳ（グローバル・ポジショニング・システム）機能を備えている場合には位置情報、マイク部を備えている場合には音等を含み、図９に示す如く、外部との通信制御部１ａのＩ／Ｆ部を介して携帯電話の基地局４に送信され、該基地局４から送信先に送られる。
【００６４】
なお笛１−６には、図１０に示す如く、通信制御部１ａのＩ／Ｆ部に接続されて、例えば首にかけて使用可能な輪状のケーブル１１’が設けられ、このケーブル１１’と繋がる接続用ケーブル１１’ａを携帯電話４ａの入出力端子に接続して、ケーブル１１’及び接続用ケーブル１１’を使用したケーブル通信により笛１−６から携帯電話４ａへ現場情報を伝送することができる。
【００６５】
このとき携帯電話４ａは、現場情報を受信したときに、図９に示す如く、基地局４を介して送信先に現場情報を伝送するトリガー機能を備えている。なお携帯電話４ａがトリガー機能を備えていない場合には、笛１−６から携帯電話４ａに現場情報が伝送されたときに、携帯電話４ａに現場情報を送信先に送信させる中継機器を設けることができる。
【００６６】
なお送信先としては、保護者等の緊急連絡先（例えば携帯電話）５−１、警察署や消防署５−２、警備会社５−３、記録用端末５−４等の第三者を予め設定することができる。第三者として記録用端末５−４が設定されている場合には笛１−６にフラッシュメモリ３６を備えていなくても、現場情報を記録することができるので、笛１−６の構造を簡素化することが可能となる。またリアルタイムで第三者に現場情報を伝達することができる。
【００６７】
なお上記実施形態では笛１−６と携帯電話４ａとの通信をケーブル通信としたが、図１１に示す如く、赤外線通信やＢｌｕｅｔｏｏｔｈ等の無線通信を使用することもできる。
【００６８】
本実施形態の笛１−６は上記のように構成される。次に笛１−６による一連の撮影処理について説明する。図１２は笛１−６の一連の撮影処理のフローチャートである。
【００６９】
笛１−６は、図１２Ａに示す如く、先ずＣＰＵ３２は電源ＳＷ１５がＯＮにされたか否かを検出し（ステップＳ１）、ＯＦＦの場合（ステップＳ１；ＯＦＦ）にはＯＮにされるまでステップＳ１の処理を繰り返し行う。一方、ＯＮの場合（ステップＳ１；ＹＥＳ）には、電源部１６の電源をＯＮにして（ステップＳ２）、撮像部を駆動可能にする。
【００７０】
次にＯＮ／ＯＦＦ検知部３０が、レリーズＳＷ１２がＯＮにされたか否かを検出し（ステップＳ３）、ＯＮでない場合(ステップＳ３；ＮＯ)には、ＯＮにされるまでステップＳ３の処理を繰り返し行う。一方、ＯＮの場合（ステップＳ３；ＹＥＳ）には、ＣＰＵ３２及びシャッタのＯＮ／ＯＦＦ制御部３１を介して撮像部２０に被写体の撮影を開始させると共に（ステップＳ４）、撮影時間タイマ部３４のタイマを起動させる（ステップＳ５）。
【００７１】
そしてフラッシュメモリ３６が撮影された画像を記録して（ステップＳ６）、外部との通信制御部１ａが低画素の画像を送信先となる第三者に送信する（ステップＳ７）。次にＣＰＵ３２が、撮影時間タイマ部３４のタイマが設定された時間内か否かを判別し（ステップＳ８）、時間内である場合（ステップＳ８；ＹＥＳ）には撮像部２０に撮影を継続させて（ステップＳ９）、ステップＳ６へ処理を移行し以降の処理を繰り返す。
【００７２】
一方、ステップＳ８にて時間内でない場合（ステップＳ８；ＮＯ）には、図１２Ｂに示す如く、ＣＰＵ３２はシャッタのＯＮ／ＯＦＦ制御部３１を介して撮像部２０に被写体の撮影を中止させる（ステップＳ１０）。そしてＣＰＵ３２は低画素の画像の送信が完了したか否かを判別し（ステップＳ１１）、完了していない場合（ステップＳ１１；ＮＯ）には、外部との通信制御部１ａが低画素の画像の送信を継続して（ステップＳ１２）、ステップＳ１１へ処理を移行し、以降の処理を繰り返す。
【００７３】
一方、低画素の画像の送信が完了している場合（ステップＳ１１；ＹＥＳ）には、高画素送信に切り換えて（ステップＳ１３）、高画素の画像の送信を行う。そしてＣＰＵ３２は、高画素の画像の送信が完了したか否かを判別し（ステップＳ１４）、完了していない場合（ステップＳ１４；ＮＯ）には、外部との通信制御部１ａが高画素の画像の送信を継続して（ステップＳ１５）、ステップＳ１４へ処理を移行し、以降の処理を繰り返す。
【００７４】
一方、高画素の画像の送信が完了している場合（ステップＳ１４；ＹＥＳ）には、電源部１６をＯＦＦにして（ステップＳ１６）、一連の撮影処理を終了する。このようにして笛１−６による撮影処理を行う。
【００７５】
上記のように電源ＳＷ１５がＯＮにされたことを検出したときに、電源部１６の電源がＯＮにされて撮像部２０が待機状態になるので、笛１−６の使用者が笛１−６を吹くとき等に把持部１０ｃを把持するだけで、意識することなく撮像部２０を待機状態にすることができる。
【００７６】
なお電源ＳＷ１５は、笛本体１０の両側の把持部１０ｃに設けることができる。このとき、両方の把持部１０ｃが同時に把持されたときにのみ電源ＳＷ１５をＯＮにする場合には、電源ＳＷ１５の誤作動を防止することができる。また、どちらか一方の把持部１０ｃが把持されたときに、電源ＳＷ１５をＯＮにする場合には、電源ＳＷ１５の押し忘れを防止することができる。
【００７７】
また電源部１６の電源がＯＮにされたときのみに撮像部２０が撮影を行うことができるので、例えば風等により使用者が意図しないときにレリーズＳＷ１２がＯＮにされた場合に撮像部２０が誤撮影するのを防止することができる。
【００７８】
このように笛１−６を吹くという単純な動作のみで、笛１−６の音により周囲に緊急状態を知らせることができると共に、第三者に現場情報を伝達することができ、さらに現場情報を記録しておくことができるので、第三者に正確な情報を伝えることができる。また第三者が正確な情報を得ることにより、使用者のいる場所や、対面している人物等を照合することもできる。
【００７９】
次に第七の実施形態の笛１−７について説明する。図１３は笛１−７の主要部断面図であり、（ａ）は空気導入前、（ｂ）は空気導入後である。なお本実施形態の笛１−７は便宜上、上述した実施形態の笛と異なる箇所のみ詳細に説明する。
【００８０】
笛１−７は、図１３（ａ）に示す如く、吹き口１０ａを被覆する防塵カバー部１８が設けられている。防塵カバー１８は、一端が笛本体１０の吹き口１０ａ近傍に固着され、他端を自由端とするカバー１８ａと、吹き口１０ａ近傍の笛本体１０から内方に突出させて固着されたカバー係止部１８ｂとで構成されていて、笛１−７が吹かれていない通常時にはカバー１８ａの自由端がカバー係止部１８ｂに係止している。
【００８１】
そして笛１−７が例えば人Ｐによって吹き口１０ａから空気が導入されると、図７（ｂ）に示す如く、カバー１８ａの自由端とカバー係止部１８ｂとの係止が外れて、カバー１８ａの自由端が笛本体１０の内部空間側へ移動し、カバー１８ａとカバー係止部１８ｂとの間から前記内部空間へ空気が導入される。
【００８２】
このように防塵カバー部１８を設けることにより、笛１−７の内部空間へのゴミや埃等の流入を防止して防塵することができる。なおこの防塵カバー部１８は、上述した実施形態の笛にも使用することができる。
【００８３】
また笛１−７は、図１３（ａ）に示す如く、空気吹出孔１０ｂにも該吹出孔１０ｂを被覆する第二の防塵カバー部１９が設けられている。第二の防塵カバー部１９は導電体で形成されており、一端が空気吹出孔１０ｂ近傍の笛本体１０上面に固着され、他端が空気吹出孔１０ｂを挟んで対向側の笛本体１０上面に係止される。この他端は所定値以上の風圧を受けたときに前記係止が外れるように貼着されている。
【００８４】
そして前記他端が係止される笛本体１０上面には、リード線１７によって撮像部２０の内部回路と接続された接点部材１２ｂが貼着されている。また上記第二の防塵カバー部１９の前記一端には上記と同様に撮像部２０の内部回路と接続されたリード線１７が接続されていて、該カバー部１９が接点部材１２ａとして機能する。
【００８５】
この第二の防塵カバー部１９は、笛１−７が例えば人Ｐによって吹き口１０ａから空気が導入されると、図１３（ｂ）に示す如く、笛本体１０の内部空間からの風圧によって第二の防塵カバー部１９の前記他端と前記笛本体１０の上面との係止が外れて、第二の防塵カバー部１９の前記他端が上方へ移動して前記空気吹出孔１０ｂが開口する。よって接点部材１２ａと接点部材１２ｂとが離れることによって、レリーズＳＷ１２がＯＮになる。
【００８６】
このように第二の防塵カバー部１９が、防塵とレリーズＳＷ１２をＯＮにする機能を有することにより構造を簡素化することができる。
【００８７】
次に第八の実施形態の笛１−８について説明する。図１４Ａは（ａ）が笛１−８の斜視図、（ｂ）が笛１−８の吹き口１０ａの拡大図であり、図１４Ｂは（ａ）が笛１−８の主要部断面図、（ｂ）が笛１−８の防塵カバー部１８の斜視図、（ｃ）が（ａ）のｂ―ｂ線断面図、図１４Ｃは笛１−８の主要部断面図であり、（ａ）は空気導入前、（ｂ）は空気導入後である。なお本実施形態の笛１−８は便宜上、上述した実施形態の笛と異なる箇所のみ詳細に説明する。また笛１−８は便宜上、図１４Ａにおける紙面上方を上側として説明する。
【００８８】
本実施形態の笛１−８も上記実施形態と同様に、図１４Ａ（ａ）に示す如く、吹き口１０ａを被覆する防塵カバー部１８を備えている。本実施形態の防塵カバー部１８は薄いフィルム状の絶縁シートで構成されており、吹き口１０ａが設けられた笛本体１０ａの端壁の撮像部２０が位置する側に設けられている。
【００８９】
防塵カバー部１８は、図１４Ａ（ｂ）に示す如く、吹き口１０ａ側から見たときに、吹き口１０ａを被覆して矩形状に形成され、該矩形部から下方にむかって幅を狭くした矩形状の舌部を有している。またさらに図１４Ｂ（ｃ）に示す如く、矩形部の下端から略直角に延び、前記舌部が挿通する孔を有する鍔部１８ａが備えられている。
【００９０】
上記のように形成された防塵カバー部１８は、図１４Ｂ（ａ）（ｂ）に示す如く、笛本体１０の上面及び下面と前記端壁との境界にそれぞれ設けられた挿入孔１００’に、前記上面側には前記矩形部を、前記下面側には前記舌部を挿入して取り付けられる。
【００９１】
また笛１８の吹き口１０ａの下方の内面には、図１４Ｂ（ａ）、図１４Ｃ（ａ）に示す如く、レリーズＳＷ１２として接点部材１２ａ及び接点部材１２ｂとが配設されている。接点部材１２ｂは吹き口１０ａの下方の内面に貼着されており、接点部材１２ａは吹き口１０ａの下端縁から笛本体１０の内部空間へ向かって延びる板バネの先端に配設されている。なお接点部材１２ａ及び接点部材１２ｂはそれぞれ撮像部２０の内部回路に図示しないリード線によって接続されている。
【００９２】
そして接点部材１２ａと接点部材１２ｂとの間に上述した鍔部１８ａを、図１４Ｂ（ｂ）に示す如く、挿入することにより、レリーズＳＷ１２をＯＦＦにしている。また笛１−８は例えば人Ｐによって吹き口１０ａから空気が導入されると、図１４Ｃ（ｂ）に示す如く、風圧によって防塵カバー部１８の下端側が笛本体１０の内部空間側に移動して吹き口１０ａが開口する。このとき接点部材１２ａと接点部材１２ｂとの間に挿入されていた鍔部１８ａが抜き出ることにより、接点部材１２ａと接点部材１２ｂとが接触して、レリーズＳＷ１２がＯＮになる。
【００９３】
このように防塵カバー部１８が、防塵とレリーズＳＷ１２をＯＮにする機能を有することにより構造を簡素化することができる。
【００９４】
次に第九の実施形態の笛１−９について説明する。図１５は笛１−９の内部構造を説明するための断面図である。本実施形態の笛１−９は上述した実施形態の笛１、１−２〜８に撮像部２０を駆動するための電力を発生する風力発電部（風力発電手段）１６を備えたものである。なお図１５では、レリーズＳＷ１２を図示していないが、上述した実施形態のレリーズＳＷ１２のいずれを使用してもよい。
【００９５】
笛１−９は、図１５に示す如く、笛本体１０の内部空間に該笛本体１０の両側面すなわち把持部１０ｃを貫通する線を軸にして回転する風車１６ａを備えている。風車１６ａの羽はそれぞれ磁力を帯びており、吹き口１０ａから空気が導入されると、この空気の風圧によって回転する。一方、撮像部２０の内部空間には、コイル１６ｂ、鉄心１６ｃ、電力を貯蔵するバッテリ１６ｄが笛本体１０側から順に配設されていて、これらは導線で接続されている。
【００９６】
上記のように構成された風力発電部１６は、前記風圧によって風車１６ａが回転すると、磁極が回転することによりコイル１６ｂに起電力が誘導されてバッテリ１６ｄへ電力を貯蔵する。そしてバッテリ１６ｄに貯蔵された電力を撮像部２０へ供給する。
【００９７】
このように風力発電部１６を備えていることにより、電源部１６の電池が切れてしまっても、風力発電部１６によって発電することができるので、撮像部２０の機能を維持することができる。なお風力発電部１６で発電された電力、つまりバッテリ１６に貯蔵された電力は、撮像部２０のＬＥＤ等の発光部２２に供給してもよい。
【００９８】
上記実施形態の風力発電部１６は上記のように構成したが、別の構造であってもよい。次に別の実施形態の風力発電部１６を備えた第十の実施形態の笛１−１０について説明する。図１６（ａ）は笛１−１０の内部構造を説明するための断面図、図１６（ｂ）は（ａ）の風力発電部１６の構成図である。
【００９９】
笛１−１０の風力発電部１６は、図１６（ａ）に示す如く、撮影レンズ２１の光軸を軸にして回転する、例えば２枚から３枚の翼を有する風車ロータ１６ｅを備えている。そして撮像部２０内部には、図１６（ｂ）に示す如く、発電機、コンバータ、インバータ及び電力を貯蔵するバッテリを有する電力部１６ｆが備えられている。
【０１００】
上記のように構成された風力発電部１６は、吹き口１０ａから空気が導入されると、前記翼が空気の風圧を受けることにより風車ロータ１６ｅが回転して、風力エネルギから変換された機械的動力を発電機に伝達して電気エネルギを発生させる。そして発生した電気は、コンバータやインバータにより直流、交流が交換されてバッテリに貯蔵される。このように本実施形態の風力発電部１６は構成されている。
【０１０１】
次に第十一の実施形態の笛１−１１について説明する。図１７は笛１−１１の斜視図、図１８（ａ）は図１７の笛１−１１の側面断面図、図１８（ｂ）は（ａ）のＡ−Ａ線断面図、図１８（ｃ）は（ａ）のＢ部拡大図である。
【０１０２】
笛１−１１は、上述した実施形態の笛１、１−２〜１０とは笛本体１０に対する撮影部２０の配置が異なるものであり、図１７に示す如く、笛本体１０の吹き口１０ａを有する端面に対して、撮影レンズ２１が略直角に位置するように笛本体１０の空気吹出孔１０ｂを有する面に配設されている。また撮影部２０は、矩形状に形成されており、撮影レンズ２１を挟んだ両側面に、電源ＳＷ１５が設けられている。
【０１０３】
そして笛本体１０は、図１８（ａ）に示す如く、撮像部２０が配設された位置の内部空間が狭く形成され、図１８（ｂ）に示す如く、狭く形成された前記空間にはドーナツ状のチューブ１０ｅが配設されている。なおチューブ１０ｅのドーナツ孔は変形可能とする。
【０１０４】
またチューブ１０ｅと笛本体１０の撮像部２０側内面との間には、図１８（ｃ）に示す如く、上下方向に間隔をおいてそれぞれリード線により撮像部２０の内部回路に接続された接点部材１２ａと接点部材１２ｂとが配置されている。またこれら接点部材１２ａ、１２ｂとチューブ１０ｅとの間には、例えば紙、ＰＥＴ（ポリエチレンテレフタラート）、樹脂バネ等の変形し易い素材で形成されたスペーサシート１０ｆが挟装されている。さらにチューブ１０ｅのスペーサシート１０ｆが当接する面には、該スペーサシート１０ｆのドーナツ孔に臨むように導電シート１２ｃが貼着されている。
【０１０５】
そして上記のように構成された笛１−１１は、例えば人Ｐによって吹き口１０ａから空気が導入されると、導入された空気は図１８（ａ）の上方から下方に向かって前記内部空間を通り、狭く形成された前記空間にて風圧を増してチューブ１０ｅのドーナツ孔に入る。するとチューブ１０ｅは風圧により図１８（ｃ）の矢印の方向へ変形し、導電シート１２ｃが撮像部２０側へ移動して接点部材１２ａ及び接点部材１２ｂの両方に当接する。すると導電シート１２ｃを介して、接点部材１２ａと接点部材１２ｂとが接触してレリーズＳＷ１２がＯＮになる。
【０１０６】
次に第十二の実施形態の笛１−１２について説明する。図１９（ａ）は笛１−１２の側面断面図、図１９（ｂ）は（ａ）のＣ部拡大図である。笛１−１２は、上記実施形態の笛１−１１とはレリーズＳＷ１２の構成が異なるものである。
【０１０７】
笛１−１２のレリーズＳＷ１２は、図１９（ａ）（ｂ）に示す如く、撮像部２０の笛本体１０の内部空間に臨む壁面に接点部材１２ａが貼着されている。また撮像部２０の前記壁面上端部に、笛本体１０の撮像部２０側内壁から延び、導電性を有する板バネ１３’が設けられていて、この板バネ１３’の下方の接点部材１２ａ側の面には、該接点部材１２ａと対応する位置に接点部材１２ｂが貼着されている。なお吹き口１０ａから空気が導入されていない通常時には、板バネ１３’は接点部材１２ｂが接点部材１２ａに当接しない位置にて形状が保持されている。
【０１０８】
そして上記のように構成された笛１−１２は、例えば人Ｐによって吹き口１０ａから空気が導入されると、導入された空気は図１９（ａ）の上方から下方に向かって前記内部空間を通り、狭く形成された前記空間にて風圧を増して、板バネ１３’の先端側を撮像部２０側へ移動させる。
【０１０９】
これにより接点部材１２ｂが接点部材１２ｂに当接してレリーズＳＷ１２がＯＮになる。なおこのとき板バネ１３’及び接点部材ａは例えばリード線等によって撮像部２０の内部回路と接続している。
【０１１０】
次に第十三の実施形態の笛１−１３について説明する。図２０は笛１−１３の側面断面図である。笛１−１３は、上記実施形態の笛１−１１又は笛１−１２に防塵カバー部１８’を備えたものである。
【０１１１】
防塵カバー部１８’は、図２０に示す如く、吹き口１０ａを被覆する吹き口カバー部１８’−１と空気吹出孔１０ｂを被覆する吹出孔カバー部１８’−２とを備えている。吹き口カバー部１８’−１は、一端が吹き口１０ａに挿入して該開口を閉塞し、他端の外周面が笛本体１０の内面と接触することにより摩擦力によって吹き口１０ａを閉塞する位置を保持している。このとき前記摩擦力は、吹き口１０ａから導入される空気の風圧によって吹き口カバー部１８’−１が外れる強さとする。
【０１１２】
また吹出孔カバー部１８’−２は、空気吹出孔１０ｂを下方から被冠するように構成され、上記と同じく前記風圧によって外れるように貼着されている。
【０１１３】
このように防塵カバー部１８’を設けることにより、笛１−１３の内部空間へのゴミや埃等の流入を防止して防塵することができる。なお笛１−１３は、周囲に緊急状態を知らせる必要は、頻繁に起こりえないと仮定して、上記防塵カバー部１８’が外れたものは破棄する使い捨ての笛としてもよい。
【０１１４】
次に第十四の実施形態の笛１−１４について説明する。図２１（ａ）は笛１−１４の側面断面図、図１６（ｂ）は空気導入時の笛１−１４の主要部拡大図である。笛１−１４は、上記実施形態の笛１−１１及び笛１−１２とはレリーズＳＷ１２の構成が異なるものである。
【０１１５】
笛１−１４は、図２１（ａ）、（ｂ）に示す如く、笛本体１０の撮像部２０側の外面に配設された接点部材１２ａと接点部材１２ｂとの間に挿入する栓部１０ｇを備えている。栓部１０ｇは、一端が笛本体１０の前記外面とは内部空間を挟んで反対側の下端にヒンジ構造を有し、他端が前記内部空間側に突出するＬ字状に形成されていて、該Ｌ字部が点部材１２ａと接点部材１２ｂとの間に挿入する。
【０１１６】
そして上記のように構成された笛１−１４は、例えば人Ｐによって吹き口１０ａから空気が導入されると、導入された空気は図２１（ａ）の上方から下方に向かって前記内部空間を通り、狭く形成された前記空間にて風圧を増して栓部１０ｇに当接することにより、図２１（ｂ）に示す如く、栓部１０ｇが下方に外れる。これにより前記Ｌ字部が点部材１２ａと接点部材１２ｂとの間から抜き出ることにより、接点部材１２ａと接点部材１２ｂとが接触して、レリーズＳＷ１２がＯＮになる。
【０１１７】
従来のように音のみで報知する報知具では、第三者からかなり近い場所や見える場所で使用しないと、周囲の建物や木々、丘等に反響したり妨害されたりして、音が消されてしまったり、第三者に音が届いても、音の発生している位置を特定するのは困難であった。又、光で報知する報知具も同様に見える場所で使用しないと効果を得られず、さらに昼光下ともなれば一層わかり難い。
【０１１８】
一方、未成年者の誘拐等の対策として、子供のランドセルにＧＰＳ（グローバル・ポジショニング・システム）機能を付けたものがあるが、これは子供が現在いる場所を特定することはできるが、子供が危険な状況下にいるかどうかは分からない。
【０１１９】
しかしながら上述した撮像機能付の笛によれば、現場情報を第三者に正確に伝達することができるので、笛の使用者の位置を特定したり、危険な状況下にいるかどうかを判断することが可能となる。
【０１２０】
なお本発明の撮像機能付笛は上述した実施形態に限られるものではなく、発明の趣旨を逸脱しない範囲において適宜変更可能である。
【図面の簡単な説明】
【０１２１】
【図１】（ａ）は第一の実施形態の笛の全体斜視図、（ｂ）は（ａ）の笛の使用時の図
【図２】（ａ）第二の実施形態の笛の斜視図、（ｂ）第三の実施形態の笛の側面図
【図３】第三の実施形態の笛の内部構造を示す概略側面断面図
【図４】第四の実施形態の笛の内部構造を示す概略側面断面図
【図５】（ａ）は第五の実施形態の笛の斜視図、（ｂ）は（ａ）の笛を人が吹いている時の説明図
【図６】第六の実施形態の笛の斜視図
【図７】電源スイッチの断面図の一例を示す図
【図８】笛の内部構成を示す機能ブロック図
【図９】外部との通信を説明する図
【図１０】笛と携帯電話との接続を説明する図
【図１１】笛と携帯電話との接続を説明する別の図
【図１２Ａ】第六の実施形態の笛による撮影処理のフローチャート（その１）
【図１２Ｂ】第六の実施形態の笛による撮影処理のフローチャート（その２）
【図１３】第七の実施形態の笛の主要部断面図
【図１４Ａ】（ａ）は第八の実施形態の笛の斜視図（ｂ）は（ａ）の笛の吹き口の拡大図
【図１４Ｂ】（ａ）が第八の実施形態の笛の主要部断面図、（ｂ）が（ａ）の防塵カバー部の斜視図、（ｃ）が（ａ）のｂ―ｂ線断面図
【図１４Ｃ】第八の実施形態の笛の主要部断面図
【図１５】第九の実施形態の笛の内部構造を説明するための断面図
【図１６】（ａ）は第十の実施形態の笛の内部構造を説明するための断面図、（ｂ）は（ａ）の風力発電部の構成図
【図１７】第十一の実施形態の笛の斜視図
【図１８】（ａ）は第十一の実施形態の笛の側面断面図、（ｂ）は（ａ）のＡ−Ａ線断面図、（ｃ）は（ａ）の主要部Ｂの拡大図
【図１９】（ａ）は第十二の実施形態の笛の側面断面図、（ｂ）は（ａ）の主要部Ｃ拡大図
【図２０】第十三の実施形態の笛の側面断面図
【図２１】（ａ）は第十四の実施形態の笛の側面断面図、（ｂ）は空気導入時の第十四の実施形態の笛の主要部拡大図
【符号の説明】
【０１２２】
１      笛（撮影機能付笛）
１ａ    通信制御部（通信手段）
１０    笛本体
１０ａ  吹き口
１０ｃ  把持部
１２    レリーズスイッチ（レリーズＳＷ；撮像制御手段）
１５    電源ＳＷ（把持検出手段）
１６    風力発電部（風力発電手段）
１８    防塵カバー部
１９    第二の防塵カバー部
２０    撮像部
２１    撮影レンズ
３２    ＣＰＵ（電源制御手段）
Ｐ      人
【図１】
2009104425.tif 000003
【図２】
2009104425.tif 000004
【図３】
2009104425.tif 000005
【図４】
2009104425.tif 000006
【図５】
2009104425.tif 000007
【図６】
2009104425.tif 000008
【図７】
2009104425.tif 000009
【図８】
2009104425.tif 000010
【図９】
2009104425.tif 000011
【図１０】
2009104425.tif 000012
【図１１】
2009104425.tif 000013
【図１２Ａ】
2009104425.tif 000014
【図１２Ｂ】
2009104425.tif 000015
【図１３】
2009104425.tif 000016
【図１４Ａ】
2009104425.tif 000017
【図１４Ｂ】
2009104425.tif 000018
【図１４Ｃ】
2009104425.tif 000019
【図１５】
2009104425.tif 000020
【図１６】
2009104425.tif 000021
【図１７】
2009104425.tif 000022
【図１８】
2009104425.tif 000023
【図１９】
2009104425.tif 000024
【図２０】
2009104425.tif 000025
【図２１】
2009104425.tif 000026